(57)【要約】【課題】トリム本体に装着される開閉式ポケットの支持構造であって、支持構造の構成を簡単かつ廉価に実現するとともに、使い勝手を高める。【解決手段】ドアトリム本体２０の収容凹部２５内にポケットカバー３０を回動可能に装着する。ポケットカバー３０の側壁３２の下端側をヒンジピン３３を介して回動可能に収容凹部２５に取り付けるとともに、ポケットカバー３０の側壁３２と収容凹部２５の側壁２６との間に、一方側にガイドピン２７，３６、他方側にラチェット式係合部２８，３４をそれぞれ設けたラチェット機構を採用することで、従来のスプリングを廃止するとともに、ポケットカバー３０の開放途中の任意位置での保持を可能とする。【選択図】図３
2006035975.tif 000002
【特許請求の範囲】
【請求項１】
車体パネルに内装される内装トリム（１０）におけるトリム本体（２０）の収容凹部（２５）にポケットカバー（３０）を下端側をヒンジ部として手前側に倒し込むように開閉可能に装着される開閉式ポケット（Ｐ）の支持構造であって、
前記ポケットカバー（３０）の側壁（３２）と、この側壁（３２）と対向する収容凹部（２５）の側壁（２６）との間には、一方側にガイドピン（２７，３６）、他方側にこのガイドピン（２７，３６）と係合するラチェット式係合部（２８，３４）が形成され、ポケットカバー（３０）の開閉操作に応じて上記ガイドピン（２７，３６）がラチェット式係合部（２８，３４）内の任意の係止ポイントで係着され、ポケットカバー（３０）を適切な開放位置で保持できるようにしたことを特徴とする開閉式ポケットの支持構造。
【請求項２】
前記ガイドピン（２７，３６）には、ピン径が縮小可能となる肉抜き（２７ａ，３６ａ）が施されていることにより、ポケットカバー（３０）の開閉操作に応じてラチェット式係合部（２８，３４）の隣接する係止ポイントに円滑に移行できるようにしたことを特徴とする請求項１に記載の開閉式ポケットの支持構造。
【請求項３】
前記ラチェット式係合部（２８，３４）は、ポケットカバー（３０）の側壁（３２）に開設されるラチェット孔（３４）から構成され、このラチェット孔（３４）の上下側の少なくとも一方側には、開口（３５）が形成されていることにより、ラチェット孔（３４）内に収容されるガイドピン（２７）がラチェット孔（３４）内を摺動する際、ラチェット孔（３４）の幅を拡開させるようにしたことを特徴とする請求項１に記載の開閉式ポケットの支持構造。
【発明の詳細な説明】
【技術分野】
【０００１】
この発明は、ドアトリム、リヤサイドトリム等の内装トリムに設けられる開閉式ポケットの支持構造に係り、特に、ポケット容積を任意に変更でき、使い勝手を高めた開閉式ポケットを簡単かつ廉価な構造で提供できる開閉式ポケットの支持構造に関する。
【背景技術】
【０００２】
従来の開閉式ポケット構造の代表例としては、例えば、図１２に示すものが知られている。図面において、ドアトリム１は所望の曲面形状に成形されたドアトリム本体２の下部側が両側に室内側に膨出し、膨出部２ａ，２ｂ間にポケット空間を構成する収容凹部３が形成され、この収容凹部３にポケットカバー４が手前方向に倒し込み可能なように回動自在に装着されている。
【０００３】
このポケットカバー４は、図１３に示すように、前面壁４ａと、その両側から略直交方向奥側に張り出し、ポケットカバー４を手前側に倒し込んだ際は、ポケット壁を構成する側壁４ｂが一体化され、両側壁４ｂの下端側に軸孔４ｃが開設されている。そして、この軸孔４ｃと、ドアトリム本体２側の収容凹部３の側壁３ａに設けられている軸孔３ｂとの間にヒンジピン４ｄを挿入することで、ポケットカバー４が回動可能に支持される。更に、ポケットカバー４の側壁４ｂの上部側には、ガイドピン５が突設され、このガイドピン５は、ドアトリム本体２の収容凹部３の側壁３ａに設けられているガイド溝６内にガイドされ、ポケットカバー４の開閉操作時、ポケットカバー４を支持する構成となっている。
【０００４】
そして、図１４に示すように、ポケットカバー４の側壁４ｂとトリム本体２の収容凹部３の側壁３ａとの間には、スプリング７が装着され、このスプリング７は、実線で示すポケットカバー４の閉鎖状態においては閉鎖方向に付勢する。一方、ポケットカバー４を手前側に倒し込んで点線で示すポケットカバー４の開放状態においては、開放方向にバネ力が付勢するようになっており、上記スプリング７の一端７ａは、ガイドピン５に取り付けられ、反対端７ｂは、収容凹部３の側壁３ａの係止部３ｃに固定されている（特許文献１参照。）。
【０００５】
【特許文献１】特開２００２−３６２２３２号公報
【発明の開示】
【発明が解決しようとする課題】
【０００６】
このように、従来のドアトリム１に設けられる開閉式ポケットは、ドアトリム本体２に設けた収容凹部３内にポケットカバー４をポケットカバー４の側壁４ｂの下端にヒンジピン４ｄを介して回動可能に取り付け、ポケットカバー４の前面壁４ａを手前側に倒し込んでポケットを開放し、その際、ポケットカバー４の側壁４ｂがポケット壁を構成することで、ポケットの開口を大きく確保することができ、スプリング７のバネ力により、ポケットカバー４をそれぞれ閉鎖方向並びに開放方向に付勢するように構成されている。
【０００７】
しかしながら、ドアトリム本体２の収容凹部３にポケットカバー４を装着する作業においては、バネ力を作用させるスプリング７を装着した状態で組み付けなければならず、組付作業が面倒であるとともに、バネ付勢力を作用させるスプリング７を必要とし、部品点数の増大から、コストアップを招来するという欠点が指摘されている。
【０００８】
更に、上述した開閉式ポケットにおいては、ポケットカバー４の閉鎖状態か、あるいは手前側に倒し込んだ開放状態の２つのポジションでしかポケットカバー４を保持することができず、開放操作途中の任意位置でポケットカバー４を保持することができず、使い勝手の面で改良が望まれていた。
【０００９】
この発明は、このような事情に鑑みてなされたもので、トリム本体の収容凹部にポケットカバーを下端側をヒンジ部として手前側に倒し込むように開閉可能に装着される開閉式ポケットの支持構造であって、スプリングを廃止することで、簡易な構成を実現でき、コストダウンを招来できるとともに、ポケットカバーの開放操作途中の任意位置でポケットカバーを保持することができ、使い勝手を高めた開閉式ポケットの支持構造を提供することを目的とする。
【課題を解決するための手段】
【００１０】
上記目的を達成するために、本発明は、車体パネルに内装される内装トリムにおけるトリム本体の収容凹部にポケットカバーを下端側をヒンジ部として手前側に倒し込むように開閉可能に装着される開閉式ポケットの支持構造であって、前記ポケットカバーの側壁と、この側壁と対向する収容凹部の側壁との間には、一方側にガイドピン、他方側にこのガイドピンと係合するラチェット式係合部が形成され、ポケットカバーの開閉操作に応じて上記ガイドピンがラチェット式係合部内の任意の係止ポイントで係着され、ポケットカバーを適切な開放位置で保持できるようにしたことを特徴とする。
【００１１】
ここで、開閉式ポケットを適用する内装トリムとしては、ドアトリム、リヤサイドトリム、ラゲージサイドトリム等が挙げられる。そして、ポケットカバーは、合成樹脂の射出成形体等からなり、ポケットカバーの閉鎖時には、内装トリムの製品表面と連接して製品表面を形造る前面壁と、この前面壁から奥側に張り出す左右一対の側壁とから構成され、この側壁は、ポケットカバーを手前側に倒し込んだ際、ポケット壁部を構成する。
【００１２】
次いで、ポケットカバーの支持構造としては、ポケットカバーの側壁下端側がトリム本体の収容凹部側壁にヒンジピンを介して軸着され、ポケットカバーは側壁下端のヒンジ部を基に前面壁が手前側に倒れ込むように回動可能に取り付けられる。
【００１３】
更に、ポケットカバーの側壁上部側とトリム本体の収容凹部側壁との間には、構造が簡易でかつポケットカバーを任意の開放位置で保持できるラチェット機構が設けられている。このラチェット機構は、ポケットカバーの側壁と、これと対応する収容凹部の側壁との間で一方側にガイドピンが突設され、他方側にこのガイドピンを係合するラチェット式係合部が設けられている。例えば、トリム本体の収容凹部側壁にガイドピンを突設した場合は、ポケットカバーの側壁には、円弧状のラチェット孔が形成され、ポケットカバーを開閉操作した場合、ガイドピンがラチェット孔内を段階的に適度の摩擦力をもって摺動することになり、ガイドピンは、ラチェット孔の任意の係止ポイントで係着されることになる。
【００１４】
また、ガイドピンの係着力とラチェット孔内を移行させる操作性とのバランスを保つために、ガイドピンに肉抜きを施し、ガイドピンのピン径が縮小するように撓み変形するガイドピン構造を採用すれば、ポケットカバーの開閉操作に対応してガイドピンはラチェット孔内を円滑に移行する。尚、ラチェット孔に替えて、ラチェット溝を採用することも可能である。
【００１５】
あるいは、ラチェット孔の上部、あるいは下部の少なくとも一方側に開口を開設しておけば、ガイドピンが通過する際、ラチェット孔の幅が拡開するように撓み変形することにより、ポケットカバーの開閉操作に伴ない、ガイドピンを円滑に摺動させることができる。尚、この場合は、ラチェット係合部としてはラチェット孔に限定される。
【００１６】
一方、ポケットカバーの側壁にガイドピンを突設した場合は、トリム本体側の収容凹部の側壁にラチェット孔を形成することも可能であるが、ラチェット孔の他にラチェット式フランジを円弧状に突設することもできる。この場合は、ポケットカバーの開閉操作に伴ない、ラチェット式フランジが上下方向に撓むことにより、ガイドピンを任意位置で係着できる。また、ポケットカバー側のガイドピンに肉抜きを施せば、ラチェット式フランジに撓み性を付与しなくても、ポケットカバーの開閉操作に対応して、ガイドピンの摺動動作が円滑に行なえる。
【００１７】
以上の構成から明らかなように、本発明に係る開閉式ポケットの支持構造は、ポケットカバーの側壁と、トリム本体側の対向面との間にガイドピンとこれを受けるラチェット式係合部とからなるラチェット機構を採用するというものであるから、従来のスプリングを廃止することができ、スプリング廃止による部品点数の削減が可能となり、ラチェット式係合部にガイドピンを係合させるようにトリム本体側にポケットカバーのヒンジ部を装着することにより、簡単に開閉式ポケットの組み付けが完了する。
【００１８】
更に、ポケットカバーの開閉操作に応じて、ポケットカバーの側壁とトリム本体の収容凹部の側壁との間に設けたラチェット機構によれば、ガイドピンがラチェット式係合部の任意ポイントで保持されるため、ポケットカバーの開放途中時においても、その任意の開放位置でポケットカバーを保持することができ、ポケットカバーは、有段階的に開放状態を保持することができ、収容物品のサイズに有効に適用することができる。
【発明の効果】
【００１９】
以上説明した通り、本発明に係る開閉式ポケットの支持構造は、トリム本体の収容凹部内にポケットカバーを手前側に倒し込み可能なように、その下端側をヒンジ部として回動可能に装着し、ポケットカバーの側壁と、これと対応する収容凹部側壁との間で一方側にガイドピン、他方側にこのガイドピンを受けるラチェット式係合部とからなるラチェット機構を採用したから、トリム本体側へのポケットカバーの装着は、従来のスプリングを廃止でき、ポケットカバーの組み付けを簡単かつ廉価に行なえるという効果を有する。
【００２０】
更に、本発明に係る開閉式ポケットの支持構造によれば、ポケットカバーの側壁上部側と、これと対向する収容凹部側壁との間にガイドピンとラチェット式係合部とからなるラチェット機構を採用したから、ポケットカバーの開閉操作時、ポケットカバーの任意の開放位置でガイドピンをラチェット式係合部の係止ポイントで確実に保持することができ、従来のように閉鎖位置、全開放位置の２つのポジションでしかロックできなかった構造に比べ、ポケット内に収容する物品のサイズに有効に適用でき、使い勝手を高め、かつスペース性能にも優れるという効果を有する。
【発明を実施するための最良の形態】
【００２１】
以下、本発明に係る開閉式ポケットの支持構造について、ドアトリムに設けた開閉式ポケットの実施例を採用して、添付図面を参照しながら詳細に説明する。
【実施例１】
【００２２】
図１乃至図７は本発明の第１実施例を示すもので、図１は本発明に係る開閉式ポケットを採用したドアトリムを示す外観図、図２は本発明に係る開閉式ポケットの支持構造を示す分解斜視図、図３は同支持構造を示す断面図、図４は同支持構造におけるガイドピンとラチェット孔との関係を示す説明図、図５は本発明に係る開閉式ポケットの支持構造における第１実施例の変形例を示す分解斜視図、図６，図７は図５に示す開閉式ポケットの支持構造におけるガイドピンとラチェット孔との関係を示す各説明図である。
【００２３】
図１において、ドアトリム１０は、所要形状に成形されたドアトリム本体２０から構成され、このドアトリム本体２０の下側ほぼ中央に開閉式ポケットＰが設定されている。更に詳しくは、ドアトリム本体２０は、ほぼ中央に車室内側に膨出形成され、乗員が肘を掛けて休めるようにアームレスト２１が形成されており、このアームレスト２１から表面下側に延在するように、ドアトリム本体２０のリヤ側下部に、膨出部２２が形成され、これと対応するように、ドアトリム本体２０のフロント側下部においても、膨出部２３が形成され、このフロント側膨出部２３には、スピーカグリル２４がドアトリム本体２０と一体、あるいは別体に設けられている。
【００２４】
このリヤ側膨出部２２と、フロント側膨出部２３との間に収容凹部２５が画成され、この収容凹部２５に開閉式ポケットＰが採用される。すなわち、図２に示すように、開閉式ポケットＰは、ドアトリム本体２０に設けられる収容凹部２５と、この収容凹部２５に装着されるポケットカバー３０とから構成される。
【００２５】
このポケットカバー３０は、ポリプロピレン樹脂、ＡＢＳ樹脂、ポリエチレン樹脂等の熱可塑性樹脂の射出成形体からなり、前面壁３１は、ポケットカバー３０の閉鎖時においてはドアトリム本体２０の製品表面を構成し、かつポケットの前面壁の機能をもつとともに、この前面壁３１のリヤ側（車両の前後方向を基準とした）には、前面壁３１からほぼ９０°奥側に張り出した側壁３２が形成され、前面壁３１のフロント側においても、前面壁３１の端縁からずれた位置にこれも上下方向に沿って延びる側壁３２が奥側に向けて張り出し形成されている。
【００２６】
一方、このポケットカバー３０を装着するドアトリム本体２０の収容凹部２５には、ポケットカバー３０の側壁３２に対応して、側壁２６が設定されており、ポケットカバー３０の側壁３２下端に軸孔３２ａが開設されているとともに、これと対応するように、収容凹部２５の側壁２６下端にも軸孔２６ａが開設され、両軸孔３２ａ，２６ａ内にヒンジピン３３を挿入することで、ポケットカバー３０は、前面壁３１を手前側に倒し込むように回動自在に軸着される。
【００２７】
次に、ポケットカバー３０の支持構造について説明する。すなわち、この第１実施例においては、収容凹部２５の側壁２６の上部側にガイドピン２７が内方に向けて突設形成されている。そして、これと対応するように、ガイドピン２７を収容するためのラチェット孔３４がポケットカバー３０の側壁３２の上部側に円弧状に開設されている。
【００２８】
従って、ポケットカバー３０をドアトリム本体２０の収容凹部２５内に収容するには、ポケットカバー３０の両側壁３２の下端側をヒンジピン３３を介して収容凹部２５内に軸着するとともに、ポケットカバー３０の側壁３２の上部側については、ラチェット孔３４内にガイドピン２７が収容されるように取り付ければ、ドアトリム本体２０に対してポケットカバー３０を簡単に装着することができ、ポケットカバー３０の組付作業性を向上させることができる。この時、本実施例では、ガイドピン２７は、図２中拡大して示すように、肉抜き２７ａが施され、上下側からピンを挟むような外力が加われば、ピン径が縮小するように構成されている。
【００２９】
図３，図４に基づいて、開閉式ポケットＰの開閉操作について説明する。図３でポケットカバー３０の実線で示す箇所は、ポケットカバー３０の閉鎖位置を示すもので、この時には、図４に示すように、ポケットカバー３０の側壁３２に開設されているラチェット孔３４の手前側端末３４ａにガイドピン２７が係着しており、ポケットカバー３０は閉鎖位置で確実に保持されている。
【００３０】
そして、開閉式ポケットＰの上部開口を多く確保するために、ポケットカバー３０の前面壁３１の上縁を手で持って、手前側に引き寄せれば、ポケットカバー３０を開放操作することができる。この時、ポケットカバー３０は、ヒンジピン３３を基に回動動作するが、その際、ドアトリム本体２０側のガイドピン２７は、ポケットカバー３０の側壁３２に開設されているラチェット孔３４をクリックアクション式に通過して、図３中２点鎖線で示すポケットカバー３０の全開放位置においては、ガイドピン２７は、ポケットカバー３０の側壁３２に開設されているラチェット孔３４の奥側端末３４ｂに係着され、全開放位置でポケットカバー３０が確実に保持される。
【００３１】
また、本実施例においては、ポケットカバー３０の閉鎖位置（図３中実線で示す）とポケットカバー３０の全開放位置（図３中２点鎖線で示す）の間の任意位置でポケットカバー３０を保持することができる。すなわち、図４に示すように、円弧状を成すラチェット孔３４は、双方の端末３４ａ，３４ｂでそれぞれポケットカバー３０の閉鎖位置、全開放位置に対応するとともに、ポケットカバー３０の開放途中状態においては、ガイドピン２７は、ラチェット孔３４内を通過する際、ラチェット孔３４の下縁に設けた凹部３４ｃでガイドピン２７は撓み変形することなく、任意の凹部３４ｃ内で保持される。そして、隣接する凹部３４ｃに移行する際に凸部３４ｄを通過する時、ガイドピン２７は肉抜き２７ａにより図示するように上下寸法が縮小するように、ガイドピン２７が撓むことで、ラチェット孔３４内の移行が可能になる。従って、ラチェット孔３４内をガイドピン２７が移行する際に、クリックアクションが作用することになる。
【００３２】
このように、本実施例においては、従来例のように、ポケットカバー３０を閉鎖位置と全開放位置の２つのポジションでしか保持できないのに比べて、ラチェット孔３４の孔形状により、ポケットカバー３０の開放途中の有段階で保持でき、ポケット内に収容する物品のサイズに応じてポケット開口の大きさを任意に設定することができ、使い勝手を高めることができる。
【００３３】
上述した実施例は、ガイドピン２７を撓み変形させることでラチェット孔３４内を円滑に移行させるようにしたが、ラチェット孔３４に替えて、ラチェット溝を使用することもできる。更に、図５，図６に示すように、ガイドピン２７を撓み変形させるのではなく、ラチェット孔３４の幅をガイドピン２７の通過時に拡開させてガイドピン２７の摺動動作を円滑化させても良い。すなわち、図５，図６に示すように、ラチェット孔３４の下方に細長状の開口３５が開設されている。
【００３４】
従って、ポケットカバー３０の開閉操作に伴ないガイドピン２７がラチェット孔３４内の凸部３４ｄと干渉し、ラチェット孔３４と開口３５との間に画成されるプレート部３５ａが矢印方向に撓むことにより、ラチェット孔３４の幅が拡開し、ガイドピン２７をラチェット孔３４に沿って円滑に摺動させることができる。尚、図７に示すように、ラチェット孔３４の上部側に開口３５を開設するようにしてもガイドピン２７をラチェット孔３４内を移行させる際、ガイドピン２７とラチェット孔３４の凸部３４ｄとが干渉し、プレート部３５ａが上方に撓むことにより、ラチェット孔３４の幅が拡開する。
【実施例２】
【００３５】
図８乃至図１１は、本発明の第２実施例を示すもので、第１実施例と同一部分には同一符号を付し、その詳細な説明は省略する。この第２実施例においても、本発明に係る開閉式ポケットＰは、ドアトリム１０におけるドアトリム本体２０の下部に設けられた収容凹部２５内にポケットカバー３０を装着して構成されている。
【００３６】
そして、この第２実施例においては、ポケットカバー３０の側壁３２の下端側をヒンジピン３３を介してドアトリム本体２０の収容凹部２５の側壁２６に取り付ける点は第１実施例と同様であるが、ポケットカバー３０のラチェット機構の構成が第１実施例とは相違する。すなわち、第２実施例においては、図８に示すように、ポケットカバー３０の側壁３２の上部側にガイドピン３６が外側に向けて突設形成されており、これと対応するように、ポケットカバー３０の側壁３２と摺接するドアトリム本体２０における収容凹部２５の側壁２６の上端に上下方向に撓み性を備えたラチェットフランジ２８が設けられている。
【００３７】
従って、図９中実線で示すポケットカバー３０の閉鎖位置においては、ラチェットフランジ２８の図中右側端部２８ａにポケットカバー３０のガイドピン３６が係着しており、ポケットカバー３０の閉鎖状態を保持している。そして、ポケットカバー３０を全開放位置まで開放させた状態では、ポケットカバー３０のガイドピン３６は、収容凹部２５の側壁２６に設けたラチェットフランジ２８の左側端末２８ｂで係着されて、ポケットカバー３０の全開放状態を保持する。また、それまでの途中において、ポケットカバー３０の任意の開放角度において、ラチェットフランジ２８の凹凸部２８ｃでポケットカバー３０のガイドピン３６がクリックアクション作用を発揮しながら係着される。従って、この第２実施例においてもスプリングを廃止することにより、簡易かつ廉価に組み付けることができ、しかも、開放操作途中の任意の位置でポケットカバー３０を保持することができ、収容備品の寸法に応じた収容性能が期待できることから、使い勝手に優れるという同様の作用効果がある。
【００３８】
また、図１０，図１１に示すように、ポケットカバー３０に設けるガイドピン３６に肉抜き３６ａを施すことにより、ガイドピン３６の上下方向のピン径を縮小させることができ、ドアトリム本体２０側のラチェットフランジ２８の凹凸部２８ｃを通過させる際の操作性を高めるようにしても良い。尚、ガイドピン３６の肉抜き３６ａの上下寸法（図中符号ｄで示す）を適宜調整することにより、ガイド操作性を制御することができる。
【産業上の利用可能性】
【００３９】
実施例１、実施例２の他に、ポケットカバー３０にガイドピン３６を突設し、これと対応するように、ドアトリム本体２０側にラチェット孔３４を形成し、ガイドピンの摺動抵抗を可変させるために、ガイドピン３６に肉抜き３６ａを施すか、あるいはラチェット孔３４の上下いずれかに開口を設ける構成を採用することもできる。
【００４０】
更に、ドアトリム本体２０における収容凹部２５内にポケットカバー３０を前倒し可能にヒンジ接合するという構成を採用したが、リヤサイドトリム、ラゲージサイドトリム等に開閉式ポケットＰを採用することもできる。
【図面の簡単な説明】
【００４１】
【図１】本発明に係る開閉式ポケットを装備したドアトリムを示す外観図である。
【図２】本発明に係る開閉式ポケットの支持構造における第１実施例の構成を示す分解斜視図である。
【図３】本発明に係る開閉式ポケットの支持構造における第１実施例を示す断面図である。
【図４】図３に示す開閉式ポケットの支持構造におけるラチェット孔とガイドピンとの関係を示す説明図である。
【図５】本発明に係る開閉式ポケットの支持構造における第１実施例の変形例を示す分解斜視図である。
【図６】図５に示す開閉式ポケットの支持構造におけるラチェット孔とガイドピンとの関係を示す説明図である。
【図７】図６の変形例を示す説明図である。
【図８】本発明に係る開閉式ポケットの支持構造における第２実施例を示す分解斜視図である。
【図９】図８に示す開閉式ポケットの支持構造の構成を示す断面図である。
【図１０】本発明に係る開閉式ポケットの支持構造における第２実施例の変形例を示す説明図である。
【図１１】図１０に示す開閉式ポケットの支持構造におけるガイドピンとラチェットフランジとの関係を示す説明図である。
【図１２】従来の開閉式ポケットを装備したドアトリムを示す斜視図である。
【図１３】従来の開閉式ポケットの構成を示す説明図である。
【図１４】従来の開閉式ポケットの支持構造を示す断面図である。
【符号の説明】
【００４２】
１０  ドアトリム
２０  ドアトリム本体
２５  収容凹部
２６  側壁
２６ａ  軸孔
２７  ガイドピン
２７ａ  肉抜き
２８  ラチェットフランジ
２８ｃ  凹凸部
３０  ポケットカバー
３１  前面壁
３２  側壁
３２ａ  軸孔
３３  ヒンジピン
３４  ラチェット孔
３４ｃ  凹部
３４ｄ  凸部
３５  開口
３６  ガイドピン
３６ａ  肉抜き
Ｐ  開閉式ポケット
【図１】
2006035975.tif 000003
【図２】
2006035975.tif 000004
【図３】
2006035975.tif 000005
【図４】
2006035975.tif 000006
【図５】
2006035975.tif 000007
【図６】
2006035975.tif 000008
【図７】
2006035975.tif 000009
【図８】
2006035975.tif 000010
【図９】
2006035975.tif 000011
【図１０】
2006035975.tif 000012
【図１１】
2006035975.tif 000013
【図１２】
2006035975.tif 000014
【図１３】
2006035975.tif 000015
【図１４】
2006035975.tif 000016